(57)【要約】【課題】車椅子を使用する人が、車椅子のままで入ることができ、かつ組立て易い浴槽を提供する。【解決手段】底板の周縁に側板を有する浴槽Aにおいて、四辺形の板体の四方の端縁部に段部を設けて中央部分が高くなった四角形の底板１を設け、各側板２又は３と底板１とは底板１の上記各端縁部４aの段部４b脇の平面に設けた切り溝に各側板２又は３の下端から突出する差込突片５を嵌め入れ、かつ各側板２又は３の下端側面を底板１の各端縁部４aの段部4b側面に当接させて、当該底板1の上記端縁部４aに４枚の側板２又は３立設し、各側板２又は３相互は係止金具により接合する構成とし、また側板２又は３同士の接合面及び側板２又は３と底板１との接合面にはパッキン材１０を沿わせて設け、接合する側板２又は３の下端側面又は底板１の端縁部４aの各段部４b側面のいずれか一方の接合面に、接合された際圧縮される弾性部材7を突出させた。【選択図】図１
2007222595.tif 000002
【特許請求の範囲】
【請求項１】
底板の周縁に側板を有する浴槽において、四辺形の板体の四方の端縁部に段部を設けて中央部分が高くなった四角形の底板を設け、各側板と底板とは底板の上記各端縁部の段部脇の平面に設けた各切り溝に各側板の下端から突出する各差込突片を嵌め入れ、かつ各側板の下端側面を底板の各端縁部の段部側面に当接させて、当該底板の上記端縁部に４枚の側板を立設し、各側板相互は夫々係止金具により接合する構成とし、また側板同士の接合面及び側板と底板との接合面には夫々パッキン材を沿わせて設け、接合する側板の下端側面又は底板の端縁部の各段部側面のいずれか一方の接合面に、接合された際圧縮される複数の弾性部材を突出させ、組み立て自在としたことを特徴とする、車椅子用浴槽。
【請求項２】
底板の周縁に側板を有する浴槽において、四方の側板のうちの少なくとも一方の側板が着脱自在な構成となっており、当該着脱自在な側板は下端から突出した各差込突片を、底板の開口した端縁部の段部脇の平面に設けた各切り溝に嵌め入れ、かつ当該側板の下端側面を底板の段部側面に当接させて立設し、当該着脱自在な側板と当該側板と隣接する側板とは夫々係止金具により接合する構成とし、また当該着脱自在な側板と隣接する側板との接合面及び底板との接合面には夫々パッキン材を沿わせて設け、接合する当該着脱自在な側板の下端側面又は底板の端縁部の段部側面のいずれか一方の接合面に、接合された際圧縮される複数の弾性部材を突出させ、組み立て自在としたことを特徴とする、車椅子用浴槽。
【請求項３】
接合する側板の下端側面又は底板の端縁部の各段部側面のいずれか一方の接合面に、接合された際圧縮される複数の弾性部材を突出させるとともに、他方の接合面の対向する位置に上記弾性部材が夫々入るくぼみを設け、組み立て自在としたことを特徴とする、請求項１又は請求項２の車椅子用浴槽。
【請求項４】
底板の周縁に側板を有する浴槽において、四方の側板のうちの少なくとも一方の側板が着脱自在な構成となっており、当該着脱自在な側板は、底板の開口した端縁部に立設し、当該着脱自在な側板と底板及び隣接する他の側板とは夫々係止金具を用いて接合する構成とし、当該着脱自在な側板と底板との接合面及び隣接する他の側板との接合面には夫々パッキン材を沿わせて設け、組み立て自在としたことを特徴とする、車椅子用浴槽。
【請求項５】
底板の周縁に側板を有する浴槽において、四辺形の底板を設け、当該底板の四方の各端縁に夫々側板を立設し、各側板と底板及び各側板同士の接合は、夫々係止金具を用いて接合する構成とし、各側板と底板との接合面及び各側板同士の接合面には夫々パッキン材を沿わせて設け、組み立て自在としたことを特徴とする、車椅子用浴槽。
【請求項６】
底板の周縁に側板を立設する浴槽において、四辺形の板体の四方の端縁部に、夫々上方に向かって立設し、その上縁で板体の中心方向に向かって略水平に屈曲した断面略鍵型の係止片を有する底板を設け、各側板と底板とは、底板の各端縁部に設けた前記係止片に、各側板の下端部から外方へ略水平に突出する断面鍵型の突片を嵌め込んで接合させて各側板を立設し、かつ隣接する側板同士の接合は、一方に係止具及び他方にその被係止具を設けてこれらを着脱自在に係止する構成とし、また側板同士の接合面及び側板と底板との接合面には夫々パッキン材を設けたことを特徴とする、組み立て自在な車椅子用浴槽。
【請求項７】
底板の周縁に側板を立設する浴槽において、四辺形の板体の四方の端縁部に、夫々上方に向かって立設し、その上縁で板体の中心方向に向かって略水平に屈曲し、さらにその内縁で下方へ垂下した断面略鍵型の係止片を有する底板を設け、各側板と底板とは、底板の各端縁部に設けた前記各係止片に、各側板の下端縁から略水平外方へ突出し、かつその外縁から上方へ突出させた断面鍵型の突片を嵌め込んで接合させて各側板を立設し、かつ隣接する側板同士の接合は、一方に係止具及び他方にその被係止具を設けてこれらを着脱自在に係止する構成とし、また側板同士の接合面及び側板と底板との接合面には夫々パッキン材を設けたことを特徴とする、組み立て自在な車椅子用浴槽。
【請求項８】
上記底板の少なくとも一方の端縁の係止片が間隔をあけて複数箇所切欠されていることを特徴とする、請求項６又は７の組み立て自在な車椅子用浴槽。
【請求項９】
底板の周縁に側板を有する浴槽において、四方の側板のうちの少なくとも一方の側板が着脱自在な構成となっており、当該着脱自在な側板は、下端から外方へ略水平に突出する断面鍵型の突片を有しており、底板の開口した端縁部には、底板の端縁が上方へ屈曲し、その上縁から底板の中心方向へ向かって略水平に屈曲した断面鍵型の係止片を有しており、前記側板と底板とは、側板の下端から突出している突片と底板の端縁部に設けられた係止片を嵌め合わせて接合させて側板を立設し、前記着脱自在な側板と隣接する側板との接合は、一方に係止具及び他方にその被係止具を設けてこれらを着脱自在に係止する構成とし、また着脱自在な側板と隣接する側板との接合面及び側板と底板との接合面には夫々パッキン材を設けたことを特徴とする、組み立て自在な車椅子用浴槽。
【請求項１０】
底板の周縁に側板を有する浴槽において、四方の側板のうちの少なくとも一方の側板が着脱自在な構成となっており、当該着脱自在な側版は、下端から外方へ略水平に突出し、さらにその外縁から上方へ突出させた断面鍵型の突片を有しており、底板の開口した端縁部には、底板の端縁が上方へ屈曲し、その上縁から底板の中心方向に向かって略水平に屈曲しさらにその内縁で下方に垂下した断面略鍵型の係止片を有しており、前記側板と底板とは、側板の下端から突出している突片と底板の端縁部に設けられた係止片を嵌め合わせて接合させて側板を立設し、前記着脱自在な側板と隣接する側板との接合は、一方に係止具及び他方にその被係止具を設けてこれらを着脱自在に係止する構成とし、また着脱自在な側板と隣接する側板との接合面及び側板と底板との接合面には夫々パッキン材を設けたことを特徴とする、組み立て自在な車椅子用浴槽。
【請求項１１】
上記底板の開口した端縁の係止片が間隔をあけて複数箇所切欠されていることを特徴とする、請求項９又は１０の組み立て自在な車椅子用浴槽。
【発明の詳細な説明】
【技術分野】
【０００１】
この発明は、構造もそれ程複雑ではなく、車椅子に乗ったままで手軽に入浴出来る浴槽に関するものである。
【背景技術】
【０００２】
我が国においては、昨今、急速に高齢化が進んでおり、病気や怪我などで体が不自由な人の他にも車椅子を使用する人の数が増加している。最近では、公共の建物や電車の駅などでもバリアフリー化が進み、プラットホーム等に直結したエレベータの設置なども盛んに行われている。また、車椅子を使用する人がいる家庭では、住居のバリアフリー化を進め、段差の無い、車椅子を使用する人にとって都合のよい住宅環境の整備が行われている。
【０００３】
この様に、各家庭や公共の建物等において、バリアフリー化が進められているが、車椅子に乗ったままで入れる浴槽というのは、実際、あまり見られない。これは、入浴というものが、プライベートな事柄であって入浴する時間や回数というのも人によって異なり、また、入浴時間も長時間必要というわけではなく、一日の時間から見れば、僅かであって、入浴自体がさほど重要視されていないということに基づくものと思われる。
【０００４】
その一方で、入浴は単にプライベートな事柄ではなく、まして、病人や怪我人、また高齢者にとって、公衆衛生上も重要な事柄であり、怪我人等が何日も入浴しないでいると不衛生になり、却って、怪我を悪化させたり、悪化させないまでも怪我の回復を遅らせるなどの結果を招くことがある。また、高齢者や怪我人等が入浴したいと思っても、自分一人で入浴出来ない時には、どうしても入浴の機会を逸してしまい、その結果、何日も入浴しないという不衛生な状態を招来していた。
【０００５】
そんな中、介護者が必要ないという浴槽も開発されている。例えば、浴槽の一側の側板をエアーシリンダーによって開閉自在に設け、この一側にシール材とロック機構を設け、さらに、この側板及び底板の内側面に車椅子の誘導溝を設けたというものである。
【０００６】
【特許文献１】特開２００１−２４５９４８号公報
【発明の開示】
【発明が解決しようとする課題】
【０００７】
しかしながら、この浴槽は、単に車椅子のままで入れるということのみを想定したもので、実際に浴槽内にどの様に湯を溜めて使用するか、また、排水はどうするのかなど具体的なことは何等記載されておらず、不明である。
【０００８】
そこで、この発明はこれらの点に鑑みて為されたもので、車椅子を使用する人が、車椅子のままで入ることができ、かつ組立て易い浴槽を提供して上記課題を解決するものである。
【課題を解決するための手段】
【０００９】
請求項１の発明は、底板の周縁に側板を有する浴槽において、四辺形の板体の四方の端縁部に段部を設けて中央部分が高くなった四角形の底板を設け、各側板と底板とは底板の上記各端縁部の段部脇の平面に設けた各切り溝に各側板の下端から突出する各差込突片を嵌め入れ、かつ各側板の下端側面を底板の各端縁部の段部側面に当接させて、当該底板の上記端縁部に４枚の側板を立設し、各側板相互は夫々係止金具により接合する構成とし、また側板同士の接合面及び側板と底板との接合面には夫々パッキン材を沿わせて設け、接合する側板の下端側面又は底板の端縁部の各段部側面のいずれか一方の接合面に、接合された際圧縮される複数の弾性部材を突出させた、組み立て自在な車椅子用浴槽とした。
【００１０】
請求項２の発明は、底板の周縁に側板を有する浴槽において、四方の側板のうちの少なくとも一方の側板が着脱自在な構成となっており、当該着脱自在な側板は下端から突出した各差込突片を、底板の開口した端縁部の段部脇の平面に設けた各切り溝に嵌め入れ、かつ当該側板の下端側面を底板の段部側面に当接させて立設し、当該着脱自在な側板と当該側板と隣接する側板とは夫々係止金具により接合する構成とし、また当該着脱自在な側板と隣接する側板との接合面及び底板との接合面には夫々パッキン材を沿わせて設け、接合する当該着脱自在な側板の下端側面又は底板の端縁部の段部側面のいずれか一方の接合面に、接合された際圧縮される複数の弾性部材を突出させた、組み立て自在な車椅子用浴槽とした。
【００１１】
請求項３の発明は、接合する側板の下端側面又は底板の端縁部の各段部側面のいずれか一方の接合面に、接合された際圧縮される複数の弾性部材を突出させるとともに、他方の接合面の対向する位置に上記弾性部材が夫々入るくぼみを設けた、請求項１、又は請求項２の組み立て自在な車椅子用浴槽とした。
【００１２】
請求項４の発明は、底板の周縁に側板を有する浴槽において、四方の側板のうちの少なくとも一方の側板が着脱自在な構成となっており、当該着脱自在な側板は、底板の開口した端縁部に立設し、当該着脱自在な側板と底板及び隣接する他の側板とは夫々係止金具を用いて接合する構成とし、当該着脱自在な側板と底板との接合面及び隣接する他の側板との接合面にはパッキン材を沿わせて設けた、組み立て自在の車椅子用浴槽とした。
【００１３】
請求項５の発明は、底板の周縁に側板を有する浴槽において、四辺形の底板を設け、当該底板の四方の各端縁に夫々側板を立設し、各側板と底板及び各側板同士は、夫々係止金具を用いて接合する構成とし、各側板と底板との接合面及び各側板同士の接合面には夫々パッキン材を沿わせて設けた、組み立て自在の車椅子用浴槽とした。
【００１４】
請求項６の発明は、底板の周縁に側板を立設する浴槽において、四辺形の板体の四方の端縁部に、夫々上方に向かって立設し、その上縁で板体の中心方向に向かって略水平に屈曲した断面略鍵型の係止片を有する底板を設け、各側板と底板とは、底板の各端縁部に設けた前記係止片に、各側板の下端部から外方へ略水平に突出する断面鍵型の突片を嵌め込んで接合させて各側板を立設し、かつ隣接する側板同士の接合は、一方に係止具及び他方にその被係止具を設けてこれらを着脱自在に係止する構成とし、また側板同士の接合面及び側板と底板との接合面には夫々パッキン材を設けた、組み立て自在な車椅子用浴槽とした。
【００１５】
請求項７の発明は、底板の周縁に側板を立設する浴槽において、四辺形の板体の四方の端縁部に、夫々上方に向かって立設し、その上縁で板体の中心方向に向かって略水平に屈曲し、さらにその内縁で下方へ垂下した断面略鍵型の係止片を有する底板を設け、各側板と底板とは、底板の各端縁部に設けた前記各係止片に、各側板の下端縁から略水平外方へ突出し、かつその外縁から上方へ突出させた断面鍵型の突片を嵌め込んで接合させて各側板を立設し、かつ隣接する側板同士の接合は、一方に係止具及び他方にその被係止具を設けてこれらを着脱自在に係止する構成とし、また側板同士の接合面及び側板と底板との接合面には夫々パッキン材を設けた、組み立て自在な車椅子用浴槽とした。
【００１６】
請求項８の発明は、上記底板の少なくとも一方の端縁の係止片が間隔をあけて複数箇所切欠されている、請求項６又は７の組み立て自在な車椅子用浴槽とした。
【００１７】
請求項９の発明は、底板の周縁に側板を有する浴槽において、四方の側板のうちの少なくとも一方の側板が着脱自在な構成となっており、当該着脱自在な側板は、下端から外方へ略水平に突出する断面鍵型の突片を有しており、底板の開口した端縁部には、底板の端縁が上方へ屈曲しその上縁から底板の中心方向へ向かって略水平に屈曲した断面鍵型の係止片を有しており、前記側板と底板とは、側板の下端から突出している突片と底板の端縁部に設けられた係止片を嵌め合わせて接合させて側板を立設し、前記着脱自在な側板と隣接する側板との接合は、一方に係止具及び他方にその被係止具を設けてこれらを着脱自在に係止する構成とし、また着脱自在な側板と隣接する側板との接合面及び側板と底板との接合面には夫々パッキン材を設けた、組み立て自在な車椅子用浴槽とした。
【００１８】
請求項１０の発明は、底板の周縁に側板を有する浴槽において、四方の側板のうちの少なくとも一方の側板が着脱自在な構成となっており、当該着脱自在な側版は、下端から外方へ略水平に突出し、さらにその外縁から上方へ突出させた断面鍵型の突片を有しており、底板の開口した端縁部には、底板の端縁が上方へ屈曲し、その上縁から底板の中心方向に向かって略水平に屈曲しさらにその内縁で下方に垂下した断面略鍵型の係止片を有しており、前記側板と底板とは、側板の下端から突出している突片と底板の端縁部に設けられた係止片を嵌め合わせて接合させて側板を立設し、前記着脱自在な側板と隣接する側板との接合は、一方に係止具及び他方にその被係止具を設けてこれらを着脱自在に係止する構成とし、また着脱自在な側板と隣接する側板との接合面及び側板と底板との接合面には夫々パッキン材を設けた、組み立て自在な車椅子用浴槽とした。
【００１９】
請求項１１の発明は、上記底板の開口した端縁の係止片が間隔をあけて複数箇所切欠されている、請求項９又は１０の組み立て自在な車椅子用浴槽とした。
【発明の効果】
【００２０】
請求項１乃至１１の各発明によれば、四方の側板又は少なくとも１つの側板が底板に対して着脱自在の構成になっているので、組立てが容易で、車椅子を底板上に載せた後、四方又は少なくとも１つの側板を底板上に立設することにより、車椅子に乗ったままで入浴することが出来る。それ故、車椅子を使用する人々が不衛生な状態を招くことも無く、車椅子を使用する人々が清潔で健康な生活を送ることに大きく貢献するものである。
【００２１】
また、請求項１〜３及び６〜１１の発明によれば、パッキン、係止金具及び係止具を用いることで、お湯がこぼれず、密閉性の高い組立て式の浴槽を提供できる。また、請求項１〜３の発明によれば、四方の側板又は少なくとも１つの側板の下端側面又は底板の端縁部の各段部側面のいずれか一方の接合面に接合された際圧縮される複数の弾性部材を突出させる構成としたため、側板の下端側面には常に弾性部材の元に戻ろうとする復元力が加わっていることとなり、組み立て途中や浴槽使用中に、側板が底板から抜けてしまうことがなくなる。
【００２２】
また請求項４及び５の発明によれば、係止金具を底板や側板に付し、これらの金具を用いて側板及び底板を接合する構成とし、側板や底板自体に溝を切ったり、差込突片を設けたりするわけではないため、製造が非常に容易になる。
【００２３】
また請求項６〜１１の各発明によれば、ステンレス板等で一体に成型でき加工しやすく便宜である。更に請求項８及び１１の発明によれば、底板の一側又は開口部縁の係止片に切欠箇所があるため、これらの切欠箇所に車椅子の車輪を通せば、車椅子を容易に底板上に載せることができる。
【発明を実施するための最良の形態】
【００２４】
底板の周縁に側板を有する浴槽において、四辺形の板体の四方の端縁部に段部を設けて中央部分が高くなった四角形の底板に、各側板と底板とは底板の上記各端縁部の段部脇の平面に設けた各切り溝に各側板の下端から突出する各差込突片を嵌め入れ、かつ各側板の下端側面を底板の各端縁部の段部側面に当接させて、当該底板の上記端縁部に４枚の側板を立設する。各側板相互はバックル金具等の係止金具により接合する構成とし、また側板同士の接合面及び側板と底板との接合面には夫々パッキン材を沿わせて設ける。さらに接合する側板の下端側面又は底板の端縁部の各段部側面のいずれか一方の接合面に接合された際圧縮される複数の弾性部材を突出させる。これにより車椅子を底板上に載せ、その後四方の側板を立設させて夫々係止金具で止めれば浴槽が出来上がり、組み立てが容易な車椅子用浴槽になる。
【実施例１】
【００２５】
以下、この発明の実施例１を図１に基づいて説明する。
【００２６】
図１は、この発明の実施例１の車椅子用浴槽Ａ（以下、単に「浴槽Ａ」と言う。）を示す。この発明の浴槽Ａは、底板１と二枚の側板２と二枚の側板３から主として構成され（但し図１では説明のため側板２と側板３は夫々一枚ずつしか表示していない。）、底板１の上に二枚の側板２及び二枚の側板３を立設して浴槽を形成する。底板１の上面は中央部に扁平な直方体の板を重ねた構成になっており、底板１の上面は中央の部分が四方の端縁部４aより一段高い構成となっている。この端縁上に略垂直に各側板２及び各側板３をそれぞれ立設する。
【００２７】
具体的には、側板２及び側板３の下端にそれぞれ設けられた差込突片５を、底板１の端縁部４aの段部4b脇の平面に穿った切り溝６に嵌め込む。この場合、図１に示すように底板１の端縁部4aの各段部4b側面からそれぞれ略半球状に弾性部材７が複数突出しているため、これらの弾性部材７に、当接する側板２あるいは側板３の下端側面を押し付けて、弾性部材７を圧縮させながら、側板２及び側板３の下端に設けられた各差込突片５を底板１の各切り溝６に嵌め込む。
【００２８】
このように弾性部材７に側板２、側板３を押し付けて底板１に側板２等を立設する構成とすることで、側板２及び側板３が底板１に立設されている間は、底板１の端縁部４aの段部4b側面と各側板の下部には常に弾性部材７の元に戻ろうとする復元力が加わっていることとなる。そのため底板１と側板との密着性が高くなり、立設した側板２及び側板３は、底板１から誤って上に抜けてしまうことがなくなる。但し、弾性部材７を突出させすぎると、底板１と側板２の接合面に隙間ができてしまうため、弾性部材７の硬さにもよるが、突出する長さは数センチ程度が望ましい。
【００２９】
更に図１に示したように、側板２及び側板３を底板１に立設する際、側板下端の接合面の弾性部材７が当接する箇所に弾性部材７の大きさよりやや小さい大きさの深さ数センチ程度のくぼみ８を設けておけば、弾性部材７がそのくぼみ８に圧縮されて嵌り込み、より一層接合がずれにくくなる。
【００３０】
一方、隣接する側板２と側板３の結合は図２に示すように、隣接する側板２及び側板３をバックル金具９によって接合する構成となっている。この場合においても図１に示すように側板２の接合面の複数箇所から略半球状に弾性部材７が突出しているため、バックル金具９によって側板同士を接合する場合には、側板３を押し付けて弾性部材７を対向する側板３のくぼみ８に圧入させることになる。従って接合した側板２と側板３には、立設している間は常に弾性部材７の元の大きさに戻ろうとする復元力がかかっていることになり、側板同士の密着性が増し、接合が外れたりすることがなくなる。なお、図２では側板２及び側板３の接合にバックル金具９を１つ用いたが、図３に示すようにバックル金具９を２つ用いてもよいし、接合状態を安定させるためそれ以上の数のバックル金具９を用いてもよい。
【００３１】
バックル金具９は、通常トランク等の接合金具として用いられているものである。側板２と側板３を接合する場合、側板３に付されている台座９fに一端を枢着されているハンドル９aを起こして当該ハンドル９aの長孔９bに一端を係止したフック９cを、側板２の被係止金具９dの折曲縁９eに引っ掛けてハンドル９aを倒すと、フック９cが被係止金具９dを引っ張り、側板２と側板３が接合される。このバックル金具９は側板２及び側板３に取り付けるだけの簡単な構成であり、操作も容易なものである。
【００３２】
さらにバックル金具による側板同士の接合の構成は上記の構成に限らず、例えば図１８に示すように、側板３に被係止金具３９を取り付け、係止金具４０を側板２に取り付ける構成にしてもよい。また被係止金具３９の折曲縁４１とフック４５の先端との距離を伸縮させることができれば、バックル金具の側板２と側板３を引き付ける力を調整することができ、弾性部材７や後述するパッキン材１０に最適な力を与えることができる。そこで図１８に示すように係止金具４０の台座４０aに一端を枢着したハンドル４４の長孔４４aに一端を係止したフックを２つに分け、一方のフック片４２の先端の軸にナット部４３を設け、他方のフック片４５の軸の外周にネジを切ってボルト部とし、これらのフック片４２のナット部４３にフック片４５の軸のボルト部を螺着しておけば、フック片４５を回転させればフック片４５の先端の位置が変わり、バックル金具の側板２と側板３を引き付ける力を調整することができる。
【００３３】
また、図１８で示した構成において、図１９で示すように被係止金具３９の中間に蝶番４６を設けて、被係止金具３９の自由端を折曲自在とし、側板２の側で折曲縁４１にフック片４５を引っ掛けるような構成にしてもよい。このような構成にすれば、被係止金具３９を側板３の側面で畳むことができるため、浴槽の組み立てや分解中に他の部材とぶつかって折曲縁４１が曲がってしまうことを避けることができる。
【００３４】
また浴槽Aの底板１と各側板２及び側板３との接合箇所の防水は接合面に夫々パッキン材１０を沿わせることにより行う。図１に示すようにパッキン材１０が側板２、側板３及び底板１の各接合面に沿って設けられている。図１ではパッキン材１０は、底板１、側板２及び側板３に設けられた切れ込みに、各接合面からわずかに突出するよう嵌め込まれているが、パッキン材１０を側板２、側板３及び底板１の各接合面に沿わせる方法はこの構成に限定されるものではなく、他の構成を用いてもよい。またパッキン材１０を沿わせる構成は、図１、図２及び図３に示された構成のように、浴槽A内に満たされたお湯が漏れないように、側板２と側板３を接合した際、あるいは側板２及び側板３を底板１に接合した際に各接合面でパッキン材１０が２列になる構成がのぞましい。
【００３５】
この浴槽Aの組み立て手順は、まず、底板１を自宅の浴室の洗い場などに置き、入浴者は車椅子に乗ったまま、底板１の中央部の端縁部４aより一段高くなった箇所に載せる。それから側板２及び側板３の下端にそれぞれ設けられた各差込突片５を、底板１の四方の端縁部４aの段部４b脇の平面に穿った各切り溝６に嵌め込んで、各二枚の側板２及び側板３を底板１に立設する。そして隣接する側板２と側板３をバックル金具９を締めて接合する。その後浴槽Aにお湯を満たす。入浴者が浴槽から出る場合には、浴槽の側壁を構成する4枚の側板のうちいずれか1枚を外せば浴槽A内のお湯が流れ出て、排水することができ、側板を外した箇所から車椅子に乗ったままで外に出ることができる。
【００３６】
なお、いずれか1枚の側板を外して排水するのは、側板に水圧がかかっている状態で行わなければならないため、介護者の労力が必要となるが、側板２、側板３あるいは、底板１のいずれかの箇所に浴槽A内のお湯を排水するための孔を穿っておき、その孔にゴム製の栓をする構成にしておけば、側板を取り外さなくても浴槽Aのお湯を排水することができて便宜である。そして底板あるいは側板のいずれかの箇所に浴槽内のお湯を排水するための孔を穿っておき、その孔にゴム製の栓をする、この構成は下記の浴槽B〜Eにおいても採用することができる。
【実施例２】
【００３７】
次に、実施例２を図４に基づいて説明する。
この実施例２の浴槽Ｂは、浴槽の側壁を構成する4枚の側板のうち1枚の側板１２だけが着脱式の構成になっており、それ以外の側板１３は底板１１と予め一体に固定されている。側板１２を底板１１に立設する場合には、側板１２の下端に設けられた複数の差込突片１５を、底板１１の端縁部１４aの段部１４b脇の平面に設けた複数の切り溝１６にはめ込むことにより行う。また隣接する他の側板１３と側板１２の接合は上記実施と同様なバックル金具（図示省略）によって行う。
【００３８】
なお、浴槽Aの構成と同様に、本実施例においても、側板１３の側板１２との２つの接合面から略半球状の弾性部材１７が複数突出しており、また側板１２の下部側面と当接する底板１１の端縁部１４aの段部１４bの側面から略半球状の弾性部材１７が突出しているため、差込突片１５を底板１１の切り溝１６にはめ込む場合には、側板１２を側板１３と底板１１の接合面に押し付けて、弾性部材１７を圧縮させる必要がある。また側板１２と底板１１及び側板１３の接合箇所の防水については夫々パッキン材１８を接合面に沿わせることにより行う。さらに上記実施例１と同様に側板１２の接合面の上記弾性部材１７が対向する箇所にくぼみ（図示省略）を設けて、これらの弾性部材１７を嵌合させる構成にしてもよい。
【００３９】
浴槽Bは、浴槽Aと異なり側板１２を底板１１に立設し、隣接する側板１３とバックル金具で接合するだけで浴槽の組み立てが完了するため、浴槽の組み立てを行う介護者の労力を軽減することができ便宜である。また、浴槽Bは、浴槽Aのように、使用する場合には、自宅等の通常の浴槽がすでに設置されている浴室に持ち込んで使用することも可能であるが、浴槽Bは車椅子の搭乗者以外の者が通常の浴槽として用いても何ら問題なく使用できるものであるため、通常の浴槽として浴室に据え付けておいてもよい。そして車椅子で浴槽Bに入るときだけ側板１２をいったん外して使用すればよい。
【００４０】
また、上記の浴槽Bの側板１２の下端に設けた差込突片１５として、図１３に示すようなかすがい３５を側板１２の下端から突出するように打ち込んだ構成にしてもよい。この場合には、底板１１の端縁部１４aに穿った切り溝１６内に、図１５及び図１６に示すような凸部３６を設ける。そして底板１１に側板１２を立設する際には、図１４に示すようにかすがい３５を底板１１の切り溝１６内に差込み、凸部３６に引っ掛ければ側板１２は真上方向には抜けなくなる。
【００４１】
また、差込突片１５として図１７に示すように、市販されているネジ先３７を取り付け、底板１１の端縁部１４aに穿った切り溝１６内に、当該ネジ先３７の外径よりやや大きい径のナット３８をはめ込む構成としてもよい。このような構成にすれば、一旦側板１２を底板１１に立設すると、側板１２が少しでも斜めになっている状態では、ネジ先３７の側部の凹凸がナット３８の側部の凹凸に引っ掛かり、例えば浴槽Bにお湯が入っている状態で誤って抜けてしまうことはなくなる。一方、ある程度の力で真上に側板１２を真上に持上げれば、ネジ先３７の凹凸とナット３８の凹凸がこすれながらも抜くことができる。このように差込突片１２に市販の部材を用いる構成にすれば、浴槽Bの側板や底板の加工が非常に容易になる。上記では浴槽Bの場合で説明したが、浴槽Aの場合においても同様に差込突片５としてかすがい３５及びネジ先３６を用いることや、切り溝６にナット３７を嵌め込む構成を採用することは可能である。
【実施例３】
【００４２】
次に、実施例３を図５に基づいて説明する。
この実施例３の浴槽Cは、側板２０だけが着脱式の構成になっており、浴槽Cのそれ以外の部分は予め一体に固定されている。従って浴槽Cを組立てる場合には、側板２０を取り付ければ組立ては完了する。具体的には側板２０の下端に設けられた蝶番の軸部材２２aを底板１９の裏面に設けられた蝶番の管部材２２ｂに横から差込み、側板２０の内側面が接合する2枚の側板２１及び底板１９に当接するように回動させる。そして側板２０と二枚の側板２１を接合させるため、側板２０及び側板２１の適宜の箇所に設けられているバックル金具（図示省略）を締める。このバックル金具は上記実施例と同様のものである。バックル金具は浴槽の外側だけでなく、内側に取り付ける構成としてもよい。バックル金具を浴槽の内側に取り付ければ、車椅子の搭乗者自身がバックル金具を締めることができ便宜である。なお、浴槽Cは、側板２０が蝶番２２（軸部材２２aと管部材２２ｂから成る）によって自在に回動できるよう、図５で示すように浴槽Cに脚などを設けて、底板１９と浴室の床との間に間隔を設ける必要がある。また側板２０と底板１９及び側板２１の接合箇所の防水についてはパッキン材２３を接合面に沿わせることにより行う。
【実施例４】
【００４３】
次に、実施例４を図６に基づいて説明する。
この実施例４の浴槽Dは、底板２４と二枚の側板２５及び二枚の側板２６によって主として構成される。底板２４の裏面の四方の端縁部の適宜の箇所には、略半分が枠体形状のフックとなっている板状の留め具２７を、当該留め具２７のフック部分だけが底板２４の端縁部から外側に突出するように、底板２４の裏面に平行に取り付けられている。更に底板２４の裏面には、底板２４と浴室の床面との間に間隔ができるように、ゴム片２９が適宜の箇所に貼り付けられている（図７及び図８参照）。また側板２５及び側板２６の下部には、縦の断面が略Jの字型の引っ掛け金具２８が、先端の引っ掛け部が各側板の外側方向に向くように取り付けられている。
【００４４】
そして浴槽Dを組立てる場合には、図７に示すように側板２５の引っ掛け金具２８を底板２４の留め具２７のフック部分に斜めにはめ込む。その状態で側板２５を真っ直ぐに立てる。そうすると、図８に示すように引っ掛け金具２８の引っ掛け部が留め具２８のフック部分にひっかかり、上に抜けなくなる。ここでは、側板２５の場合で説明したが、側板２６の場合でも同じ手順で組み立てる。浴槽Dの側壁を構成する4枚の側板を組立てる順番は、どの側板から組立ててもかまわない。
【００４５】
このままの状態では、側板２５及び側板２６は、底板２４に固定されているわけではないため、隣接する側板２５と側板２６を上記実施例と同様なバックル金具（図示省略）でそれぞれ接合して、側板２５と側板２６の接合及び側板と底板２４の接合状態を安定させる。より安定させるために、図３で示したように複数のバックル金具を用いて側板２５と側板２６を接合してもよい。
【００４６】
次に、浴槽Dの防水方法を、図９及び図１０を用いて説明する。まず側板同士の接合であるが、側板２６の、側板２５との２つの接合面にそれぞれパッキン材３０を当該接合面から数センチ程度突出するように沿わせる。このような構成にすると側板２５と側板２６をバックル金具３１を締めて接合する場合、パッキン材３０の突出している部分を圧縮させることになるため、接合箇所に隙間ができることはなく、防水性が高くなる。
【００４７】
次に、側板同士の別の接合方法を、図１１及び図１２を用いて説明する。側板２６の浴槽Dの内側面となる面の両側端に沿ってL型パッキン材３２を取り付ける。このL型パッキン材３２の、側板２５と側板２６を接合した場合に側板２５と当接する部分の一部には、永久磁石３３がはめ込まれている。一方、側板２５の、側板２６のL型パッキン材３２が当接する箇所には例えば金属等の永久磁石３３が吸い付く吸磁性体３４がはめ込まれている。このような構成にすると、永久磁石３３の磁性によって、L型パッキン材３２が側板２５に吸いつき、接合箇所の隙間を埋めるため、防水性が高くなる。またこのL型パッキン材３２は、浴槽Dにお湯を入れると、お湯の水圧によって、パッキン材３２は側板２５及び側板２６に押し付けられ、より強力に密着する。
【００４８】
更に、側板２５及び側板２６と底板２４との接合面の防水方法については、上記した側板同士の接合方法のいずれを採用する場合であっても、浴槽Dの側板２５及び側板２６と、底板２４とが接合している底板２４の四辺をアングル材状のパッキン材（図示していない）を設けて密閉する。さらにアングル材状のパッキン材の両側の側片の断面を刃のように先端の尖った形状にすれば、水圧で側板２５等により強力に密着する。
【００４９】
なお、浴槽Dの側板２５、側板２６はそれぞれ下端から複数の引っ掛け金具２８が突出しているため、浴槽Dを分解して壁に立てかけておく場合等、床面に引っ掛け金具２８が直接接触して損傷してしまうおそれがある。そこで引っ掛け金具２８が傷つかないように、側板の下端から引っ掛け金具よりも長い棒状等のガイド片を突出させ、底板２４には、当該ガイド片が嵌る孔を適宜設けておけば、側板２５及び側板２６を底板２４に立設する際の位置決めが容易になる。
【実施例５】
【００５０】
次に実施例５を図２０及び図２１を用いて説明する。
この実施例５の浴槽Eは、側板４７だけが可動式の構成になっており、浴槽Eのそれ以外の部分は予め一体に固定されている。側板４７の一方の側部上端は当該部分が支点となるよう回動自在に軸４８によって、隣接する浴槽Eの側壁端面に軸支されている。また側４７の他方の側部は、隣接する側板とバックル金具を用いて接続する（図示省略）。側板４７の他方の側部付近の外面にはフック４９が設けられており、このフック４９にロープ５０の一端が結びつけられている。ロープ５０の他端は浴室の天井等に設置された滑車５１を通して、台５２の上に設置された巻取り機５３に接続されている。側板４７の下端には差し込み突片５４が設けられており、浴槽Eの底板５５の端縁部の段部脇の平面に設けた切り溝（図示省略）にはめ込み自在となっている。また側板と底板５５及び隣接する側板の接合箇所の防水についてはパッキン材５６をこれらの接合面に沿わせることにより行う。
【００５１】
浴槽Eの使用方法について説明する。図２０のように底板５５に側板４７が立設されている状態から、巻き取り機５３によってロープ５０を巻き取ると、図２１のように側板４７のフック４９が設けられている側が軸４８を支点として持ち上がる。側板４７が跳ね上がった状態で、車椅子の搭乗者は車椅子ごと浴槽E内に入る。その後、浴槽Eの中から巻き取り機５３を操作し、ロープ５０を繰り出せば、側板４７は回動し、図２０に示すように側板４７は底板５５に立設される。その際側板４７の下端の差込突片５４が底板５５の切り溝に嵌る。なお巻き取り機５３がラチェットを備えているものであれば、巻き取り機５３を止めた位置でロープ５０が止まり、ロープ５０が誤って逆行したりせず、より望ましい。
【００５２】
浴槽Eの構成によれば、車椅子の搭乗者が介助者の手を借りずに一人で、入浴することが可能となる。また本実施例では巻き取り機５３を用いて、ロープ５０の操作を行ったが、もっと簡便に、ロープ５０を搭乗者自らが手で引っぱったり、緩めたりして操作し、ロープ５０を特定の長さで固定する場合には、ロープ５０の一端を浴槽Eの適宜の箇所に結び付ける構成としてもよい。
【００５３】
更に本実施例においては側板４７が跳ね上がる構成としたが、図２２に示すように蝶番５７を用いて、側板４７が扉のように開く構成にしてもよい。その場合図示は省略したが、側板４７の自由端と浴槽Eの隣接する側板端部とを上記実施例と同様のバックル金具を用いて固定する。  
【実施例６】
【００５４】
以下、この発明の実施例６を図２３〜２８に基づいて説明する。
図２３は、この発明の実施例６の車椅子用浴槽F（以下、単に「浴槽F」と言う。）を示す。この発明の浴槽Fは、底板５８と二枚の一対の側板５９と二枚の他対の側板６０から主として構成され、底板５８の上に二枚の一対の側板５９及び二枚の他対の側板６０を立設して浴槽を形成する。図２４に示す通り、底板５８の上面の四方の端縁部には、各辺に沿って、夫々上方へ向かって突出し、その上縁から底板の中心方向に向かって水平に屈曲させさらにその内縁で下方へ垂下させた断面鍵型の係止片６１が４つ設けられている。また底板５８の上面の、係止片６１の内側垂下部の下方には、４つの係止片６１の垂下部に沿ってパッキン材６２が設けられている。つまり４つの係止片６１の垂下部のほぼ真下の箇所に沿ってパッキン材６２が設けられている。なお図２４に示した構成においては、底板５８の四辺にそれぞれ１つの係止片６１が設けられている。この構成の場合には、搭乗者の乗った車椅子を底板５８の上面に載せる際に、係止片６１を乗り越える必要がある。そこで図２５に示すように、底板５８の１辺に夫々設ける係止片６１に複数の切り欠き部を設け、車椅子の車輪が通り抜けられるような構成にしてもよい。
【００５５】
底板５８に立設する一方の側板５９及び他方の側板６０は、図２３に示すように底板５８の上面の端縁部に側板５９同士、側板６０同士が対向するように立設される。そして側板５９及び側板６０はいずれも四辺形の枠体５９a、６０aの一方に背板５９ｂ、６０ｂが貼り付けられ、中央部には水平に補強材５９ｃ、６０ｃが嵌め込まれた構成になっており、この側板の下端となる枠体の一辺外縁には、図２６に示すように横長の突片６３が立設されている。これにより側板５９又は６０の下端は枠体５９a、又は６０aが水平に外側に延び、その外縁から上方へ屈曲した断面鍵型の突片を形成している。また、図２６に示す通り、側板６０の両側端となる枠体６０aの二辺には、辺の一面を覆うようにパッキン材６４が設けられている。なお、側板５９にはこのパッキン材６４は貼られていない。
【００５６】
次に浴槽Fの組み立て方法について説明する。底板５８の上面の各端縁部に夫々側板５９を対向するように立てる。この際、図２７に示すように側板５９の突片６３が底板５８の断面鍵型の係止片６１の屈曲部に引っ掛かるようにして側板５９を立てる。それから２枚の側板６０を同様に対向するように立てる。隣接する側版５９と側板６０との接合は図２８に示すようにバックル金具６５を用いて接合する。
【００５７】
このバックル金具６５は引っ掛け具とバックルの付いた保持具６５aとフック状の被係止具６５bとから成り、例えば上記係止具６５aを側板６０の補強材６０cの端縁に、被係止具６５bを側板５９の補強材５９cの端縁に固定し、係止具６５aのバックルを起こして引っ掛け具を被係止具６５bに引っ掛け、バックルを元に戻すことにより係止される。隣接する側板５９と側板６０との接合部にはパッキン材６４が設けられているが、バックル金具で接合することで、両側板をある程度の力で押圧しながら接合することができ、浴槽Fの防水性が高まる。また上記係止具６５aの引っ掛け具は長さ調整可能である。
【００５８】
また、図２３に示す通り、対向して立設される２枚の側板５９の内側面の上方の、側板６０との接合面に直近の箇所から夫々、ピン７５を突出させる構成にすれば、側板６０が夫々浴槽Fの内側方向に倒れることを防止でき便宜である。
【実施例７】
【００５９】
以下、この発明の実施例７を図２９〜３７を用いて説明する。
図２９〜３１は、この発明の実施例７の車椅子用浴槽G（以下、単に「浴槽G」と言う。）を示す。この発明の浴槽Gは、ステンレスやアルミ等の１枚の板に適宜切り込みを入れ、内側や外側に折り曲げて、図２９〜３１に示すように四方の側板のうち一方が開口している構成とする。そして、開口している側の底板７２の端縁部には、端縁部から浴槽Gの外側に向かって水平に突出させ、その外縁で上方へ屈曲させ、またその上縁から底板７２の中心に向けて水平に突出させ、さらにその内縁から下方へ垂下させた断面鍵型の係止片６８が設けられている(図３１では、係止片６８は省略されている)。なお係止片６８は浴槽Gをステンレス板等で一体成形する際に、一緒に成形しても良いし、後から浴槽Gに溶接する構成にしてもよい。
【００６０】
また係止片６８は、本実施例の上述の説明では底板７２の外側へ一旦突出させ、そこで上方へ屈曲させたが、底板７２の端縁部から直接上方に向かって立設し、その上縁から底板７２の中心に向けて水平に突出させ、さらにその内縁から下方へ垂下させた構成にしてもよい。但しこの場合には、後述するパッキン材７０の貼りしろ７１の設ける位置を、浴槽Gを構成するステンレス板等をいったん折り返した後に浴槽Gの内側に略９０度に折り曲げる等して、後方にずらす必要がある。
【００６１】
また、上記車椅子用浴槽Gの開口一端に取り付ける図３２に示した着脱自在な側版６６も浴槽Gと同様にステンレスやアルミ等の１枚の板により一体成形する。なお、図３２に示されている側版６６は中央部に水平に補強材６７が設けられているものである。またこの側板６６の下端は外側へ水平に屈曲させ、その外縁で上方へ突出させた断面鍵型の突片７４を設けている。
【００６２】
次に浴槽Gと側板６６との接合面の防水方法について説明する。まず浴槽Gの開口端の両側の２つの側板６９と側板６６との接合については、側板６６と当接する浴槽Gの２枚の側板６９の接合部で、図２９に示すように、浴槽Gを構成するステンレス板等を浴槽Gの内側に略９０度に折り曲げ、パッキン材７０の貼りしろ７１をつくり、この貼りしろ７１に沿って垂直にパッキン材７０を貼り付ける。更にステンレス板等の余った部分は折り返して浴槽Gの内側に溶接する。また、浴槽Gの底板７２と側板６６の接合については、図２９及び図３１に示すように、底板９の開口部側の端縁部に貼りしろ７３を立設し、貼りしろ７３に沿って水平にパッキン材７０を貼る。貼りしろ７３には複数の切り欠き部を設け、また上記係止片６８の幅を合わせて、車椅子の車輪が通り抜けられるようにする。
【００６３】
次に浴槽Gの組み立て方法について説明する。側板６６を浴槽Gの底板７２の開口部側に立設する際には、浴槽Gの開口部側の左右いずれか真横から側板６６をスライドさせ、側板６６の下端の突片７４が浴槽Gの係止片６８に嵌るようにする。そして浴槽Gの２枚の側板６９と側板６６との接合は、上記実施例６と同様なバックル金具を用いて行う(図示省略)。浴槽Gの２枚の側板６９と側板６６との接合部には上述したようにパッキン材７０が設
けられているが、バックル金具で接合することで、両側板をある程度の力で押圧しながら接合することができ、浴槽Gの防水性が高まる。
【００６４】
本実施例においては。浴槽Gを構成するステンレス板等を浴槽Gの内側に略９０度折り曲げ、パッキン材７０の貼りしろ７１をつくったが、図３３及び図３４に示すように浴槽Gを構成するステンレス板等を浴槽Gの外側に略９０度折り曲げ、パッキン材７０の貼りしろ７１をつくってもよい。このような構成にすれば、衛生上浴槽G内に雑菌や汚れがたまる部分が少なくなるため望ましい。
【００６５】
また図２９に示した本実施例においては、上述したように開口している側の底板７２の端縁部には、端縁部から浴槽Gの外側に向かって水平に突出させ、その外縁で上方へ屈曲させ、またその上縁から底板７２の中心に向けて水平に突出させ、さらにその内縁から下方へ垂下させた断面鍵型の係止片６８が設けられた構成になっているが、図３３に示すように、係止片６８を底板７２の端縁部から浴槽Gの外側に向かって水平に突出させる部分を端縁部の全面から突出させる構成とし、水平に突出した部分の一部をその外縁で上方に屈曲させて突出させる構成にしてもよい。係止片６８の一部だけをその外縁で上方に屈曲させる構成にすることにより、係止片６８の上方への屈曲部分のない、その隙間から車椅子の車輪が通れるようにする。
【００６６】
更に、浴槽Gの底板７２と側板６６の接合については、図２９及び図３１に示すように、底板６６の開口部側の端縁部に貼りしろ７３を複数立設し、貼りしろ７３に沿って水平にパッキン材７０を貼る構成としていたが、図３３に示すように、パッキン材７０を、係止片６８の底板７２の端縁部から浴槽Gの外側に向かって水平に突出している部分の上面に水平に貼り付ける構成にしてもよい。但し、このように係止片６８の底板７２の端縁部から浴槽Gの外側に向かって水平に突出している部分の上面にパッキン材７０を貼る構成にすると、車椅子を底板７２の上面に載せる際に車椅子の車輪がその上を通ることになり、パッキン材７０が磨耗したり、はがれてしまう可能性があるため、図３５に示すように側板６６の突片７４の底面にパッキン材７０を貼り付ける構成にしてもよい。
【００６７】
また本実施例においては、側板６６は、中央部に水平に補強材６７が設けられている構成が示されているが、図３６及び図３７に示す通り、補強材の代わりに深さ５ミリ位の凸プレスを複数本入れる構成にしてもよい。別途用意した補強材を設ける構成より、側板６６を一体成型しやすくなり、衛生的にも望ましい。なおこの凸プレスを入れる構成は、実施例６の側板５９及び側板６０の場合でも採用することができる。
【００６８】
なお上記実施例６及び７の係止片及び突片に代えて、図３８に示すように底板５８又は７２の外縁を上向きに屈曲させ、その上縁を底板５８又は７２の中心方向へ水平に折り曲げた断面鍵型の係止片６１’又は６８’とし、側板５９、６０又は６６の下端縁を外方へ水平に折り曲げた断面鍵型の突片６３’又は７４’とし、係止片６１’又は６８’の内側にパッキン材６２’又は６４’を設けることにより突片６３’又は７４’を係止片６１’又は６８’に係合させることもできる。また図３９に示すように上記係止片６１’又は６８’の上縁を湾曲させた構成でも同様に係合できる。
【００６９】
以上のように浴槽A〜Gは構成され、これら浴槽の中に湯を入れても湯は外部にほとんど漏れず、漏れたとしてもその量はわずかであり、浴室内での使用においては、何ら不都合がない。
【００７０】
またこの浴槽A〜Eの材質については合成樹脂やステンレス材を用いてもよいし、木材を用いてもよいが、木材の場合はお湯を吸って重くなったり、腐るのを防ぐため表面に防水塗料を塗布するか、透明なアクリル樹脂のカバーを一体に被せてもよい。ここで、防水塗料の塗布の仕方について具体的に説明する。まず、浴槽の内側となる各側板と底板の面にエポキシ樹脂等の防水塗料を塗布する。それから、後に剥がれやすくするために油等の剥離剤を塗った平板を塗布面に圧着する。ここで用いる平板は、凹凸や突起のない表面の滑らかな鏡面仕上げの金属板やアクリル板を用いる。そして、防水塗料が固着した後、圧着していた平板を取り除く。このように平板を圧着させて防水塗料を固着させると、上記防水塗料の塗布面が鏡のように滑らかに仕上がり、これらの各側板や底板を用いると浴槽に入浴した際、肌触りが非常に良くなる。なお、上記の説明では浴槽の内側となる側板と底板の面に防水塗料を塗布すると記載されているが、側板や底板のいずれの面に防水塗料を塗布しても良い。
【００７１】
また、この浴槽A〜Eを構成する側板や底板の他の部材と当接する箇所や、入浴する際に車椅子が載ったり、ぶつかったりする箇所に、金属板を貼る構成にしてもよい。このように他の部材や車椅子が接触する箇所を金属板で覆っておけば、浴槽を何度も組立てたり分解したりして長い年月使用しても、側板や底板の接合面等がこすれて削れたりすること当を避けることができ、この浴槽A〜Eの耐用年数を伸ばすことができる。
【００７２】
側板や底板に金属板を貼る場合、パッキンや弾性部材が突出している箇所を避けて、金属板を貼る構成にしても良いし、側板や底板の適宜の箇所に金属板を貼った後に、その上からパッキンや弾性部材を取り付ける構成にしてもよい。浴槽A〜Eの材質が木材である場合等には、金属板の上にパッキンや弾性部材を取り付けた方が取り付け面がより平滑であるため、取り付けやすく、またパッキンと金属板との間に隙間がほとんどなくなり、浴槽A〜Eの防水性が高まる。側板や底板に係止金具や蝶番等を取り付ける場合、金属板の上から取り付ければ、これらの取り付けが強固になる。
【００７３】
また、側板と底板との接合及び側板相互の接合は上記実施例１〜７のものに限らず、また他の実施例のものと夫々組み換えた構成にすることも可能であり、設計によって適宜の構成を選択、採用できる。また実施例１〜７では隣接する側板相互の接合にはバックル金具を設けているが、このバックル金具に限るものではない。接合構造としては、かんぬき構造や、楔を使用した係止具を用いた構造も含まれる。要は隣接する側板の一方の側板に係止体を設け、他方の側板に被係止体を設け、これらの係止体を被係止体に係止する構成であればよい。また上記実施例２、３、７においては、一つの側板１２及び側板２０を着脱自在としたが、これに限らず二つ又は三つの側板を着脱自在としてもよい。
【００７４】
図４０は、この発明の側板の例を示す概略構成図であり、図４１は、図４０における側板同士の接合を示す概略構成図である。
【００７５】
図４０に示すように、側板７５は、内側面にパッキン材７６が形成され、その外側にコ字状部材７７が取付けられる。このとき、コ字状部材７７の両端部が側板７５の内側面に接するように取付けられ、ほぞ孔７８が形成される。また、隣り合う側板７９の側面７９ａには、その側面７９ａを貫通する貫通孔８０が形成される。
【００７６】
図４１に示すように、隣り合う側板７５，７９を接合する場合、側板７９の貫通孔８０にコ字状部材７７を挿通する。この後、貫通孔８０を挿通されて側板７９の側面７９ａの内側に突出したコ字状部材７７のほぞ穴７８に、楔部材８１を差し込む。この楔部材８１の材質は、木材、ゴム、金属等が考えられる。この楔部材８１は、側面がテーパ状に形成されるため、コ字状部材７７への差込みを深くするにつれて、確実に両側板７５，７９を接合できる。この接合構造によれば、予めコ字状部材７７と貫通孔８０がそれぞれの位置に対応して設けられているため、接合の際の位置決めが容易となる。
【００７７】
図４２はこの発明の側板の例を示す概略構成図であり、図４３は底板の例を示す概略構成図である。また、図４４はこの例の側板と底板との接合状態を示す断面図である。
【００７８】
図４２（Ａ）は、側板８２の側面図である。また、図４２（Ｂ）は側板８２の正面図、（Ｃ）は（Ａ）のＡ−Ａ断面図である。側板８２は略断面コ字状であり、下端部に断面コ字状の係止片８９が形成される。係止片８９の先端の突片８９ａと、側板８２の表面８２ａには、棒状の補強部材８３が架渡されて溶着される。この補強部材８３は、（Ｃ）に示すように、側板８２の左右方向に沿って複数個所（図では４箇所）に溶着される。また、突片８９ａ及び側板８２の下面８２ｂには切欠き８４が複数個（図では３個）形成される。
【００７９】
図４３（Ａ）は、底板８５の係止片８６付近の側面図であり、（Ｂ）は（Ａ）のＢ−Ｂ断面図である。底板８５の係止片８６の上片８６ａと下面８６ｂには、棒状の補強部材８７が複数本（図では３本）架渡されて溶着される。８８はパッキン材である。
【００８０】
図４４に示すように、側板８２と底板８５は、側板８２の係止片８９と底板８５の係止片８６とを係止させて接合される。このとき、側板８２の各切欠き８４に底板８５の各補強部材８７が入り込んで接合される。このような構成により、確実に側板８２と底板８５を接合できるとともに、補強部材８３，８７により、側板８２の係止片８９や底板８５の係止片８６が使用による劣化や変形で開くことを防止できる。このように断面コ字状の係止片８９，８６の開き防止手段として、複数本の棒状の補強部材８３，８７を係止片８９，８６の内側に溶着して架渡すことにより、この発明に係る車椅子用浴槽の使用回数を大幅に向上できる。
【００８１】
図４５は図４４の別の例であり、側板と底板の接合状態を示す断面図である。
【００８２】
図示したように、側板８２と底板８５は、底板８５の係止片８６の上片８６ａの先端が内側に折れ曲がって側板８２の係止片８９の突片８９ａと係止する。このように係止片８６を折り曲げて係止させることによっても、係止片８６の開きを防止できる。その他の構成、作用、効果は図４４と同様である。
【図面の簡単な説明】
【００８３】
【図１】この発明の実施例１の浴槽の主な構成を示す分解斜視図である。
【図２】この発明の実施例１の浴槽の隣接する側板同士を、1つのバックル金具を用いて接合することを示す斜視図である。
【図３】この発明の実施例１の浴槽の隣接する側板同士を、２つのバックル金具を用いて接合することを示す斜視図である。
【図４】この発明の実施例２の浴槽の構成を示す分解斜視図である。
【図５】この発明の実施例３の浴槽の構成を示す分解斜視図である。
【図６】この発明の実施例４の浴槽の構成を示す分解斜視図である。
【図７】この発明の実施例４における側板の引っ掛け金具を、底板に設けられている留め具内に斜めに入れた状態を示す概念図である。
【図８】この発明の実施例４における側板の引っ掛け金具を、底板に設けられている留め具内で略垂直に立てた状態を示す概念図である。
【図９】この発明の実施例４の隣接する側板の、接合する前の状態を示す斜視図である。
【図１０】この発明の実施例４の隣接する側板の接合状態を示した斜視図である。
【図１１】この発明の実施例４において、図９及び図１０で示したものとは別の構成によって隣接する側板の、接合する前の状態を示す斜視図である。
【図１２】この発明の実施例４において、図９及び図１０で示したものとは別の構成によって隣接する側板の接合状態を示した斜視図である。
【図１３】この発明の実施例１〜２のいずれかの実施例において、差込突片５として用いるかすがいの平面図である。
【図１４】この発明の実施例の１〜２のいずれかの実施例において、側板の差込突片としてかすがいを用い、底板の切り溝内に引っ掛かりを設ける構成とした場合に、かすがいを切り溝内の凸部に嵌めた状態を示す断面図である。
【図１５】この発明の実施例の１〜２のいずれかの実施例において、側板の差込突片としてかすがいを用い、底板の切り溝内に引っ掛かりを設ける構成とした場合に、かすがいを切り溝内に嵌め込もうとしている状態を示す断面図である。
【図１６】この発明の実施例の１〜２のいずれかの実施例において、側板の差込突片としてかすがいを用い、底板の切り溝内に引っ掛かりを設ける構成とした場合の底板の端縁部の切り溝部分の平面図である。
【図１７】この発明の１〜２のいずれかの実施例において、差込突片５としてネジ先を用い、切り溝６にナットをはめ込んだ場合に、側板を切り溝に立設した状態を示す断面図である。
【図１８】この発明の実施例１の浴槽の隣接する側板の他の接合状態を示す斜視図である。
【図１９】この発明の実施例１の浴槽の隣接する側板の更に他の接合状態を示す斜視図である。
【図２０】この発明の実施例５において、回動自在な側板が底板に立設されている状態を示す正面図である。
【図２１】この発明の実施例５において、回動自在な側板が持ち上がっている状態を示す正面図である。
【図２２】この発明の実施例５における別の構成を示した斜視図である。
【図２３】この発明の実施例６の浴槽の組立てた状態を示す斜視図である。
【図２４】この発明の実施例６の浴槽の底板の構成を示す斜視図である。
【図２５】この発明の実施例６の浴槽の底板の別の構成を示す斜視図である。
【図２６】この発明の実施例６の浴槽の側板の構成を示す斜視図である。
【図２７】この発明の実施例６の側板と底板の接合状態を示す断面図である。
【図２８】この発明の実施例６の側板同士の接合状態を示す斜視図である。
【図２９】この発明の実施例７の浴槽の主な構成を示す斜視図である。
【図３０】この発明の実施例７の浴槽の主な構成を示す右側面図である。
【図３１】この発明の実施例７の浴槽の主な構成を示す正面図である。
【図３２】この発明の実施例７の浴槽の着脱自在な側板を示す斜視図である。
【図３３】この発明の実施例７の浴槽の別な主な構成を示す斜視図である。
【図３４】この発明の実施例７の浴槽の一方のパッキン材の貼りしろの構成を概念的に示した横断面図である。
【図３５】この発明の実施例７の浴槽の別の構成の着脱自在な側板を示す斜視図である。
【図３６】この発明の実施例７の浴槽の別の構成の着脱自在な側板を示す斜視図である。
【図３７】この発明の実施例７の浴槽の別の構成の着脱自在な側板の縦断面図である。
【図３８】この発明の底板の係止片と側板の突片の他の構成を示す係合断面図である。
【図３９】この発明の底板の係止片と側板の突片の他の構成を示す係合断面図である。
【図４０】この発明の側板の例を示す概略構成図である。
【図４１】図４０における側板同士の接合を示す概略構成図である。
【図４２】この発明の側板の例を示す概略構成図である。
【図４３】底板の例を示す概略構成図である。
【図４４】図４２と図４３の側板と底板との接合状態を示す断面図である。
【図４５】図４４の別の例であり、側板と底板の接合状態を示す断面図である。
【符号の説明】
【００８４】
Ａ：浴槽、Ｂ：浴槽、Ｃ：浴槽、Ｄ：浴槽、Ｅ：浴槽、Ｆ：浴槽、Ｇ：浴槽、１：底板、２：側板、３：側板、４a：端縁部、４ｂ：段部、５：差込突片、６：切り溝、７：弾性部材、８：くぼみ、９：バックル金具、９a：ハンドル、９b：長孔、９c：フック、９d：被係止金具、９e：折曲縁、９f：台座、１０：パッキン材、１１：底板、１２：側板、１３：側板、１４：直方体の板、１５：差込突片、１６：切り溝、１７：弾性部材、１８：パッキン材、１９：底板、２０：側板、２１：側板、２２a：蝶番の軸部材、２２b：蝶番の管部材、２３：パッキン材、２４：底板、２５：側板、２６：側板、２７：留め具、２８：引っ掛け金具、２９：ゴム片、３０：パッキン材、３１：バックル金具、３２：L型パッキン材、３３：永久磁石、３４：吸磁性体、３５：かすがい、３６：凸部、３７：ネジ先、３８：ナット、３９：被係止金具、４０：係止金具、４０a：台座、４１：折曲縁、４２：フック片、４３：ナット部、４４：ハンドル、４４a：長孔、４５：フック片、４６：蝶番、４７：側板、４８：軸、４９：フック、５０：ロープ、５１：滑車、５２：台、５３：巻き取り機、５４：差込突片、５５：底板、５６：パッキン材、５７：蝶番、５８：底板、５９：側板、６０：側板、６１：係止片、６２：パッキン材、６３：突片、６４：パッキン材、６５：バックル金具、６６：側板、６７：補強材、６８：係止片、６９：側板、７０：パッキン材、７１：貼りしろ、７２：底板、７３：貼りしろ、７４：突片、７５：側板、７６：パッキン材、７７：コ字状部材、７８：ほぞ穴、７９：側板、８０：貫通孔、８１：楔部材、８２：側板、８２ａ：側板表面、８２ｂ：側板下面、８３：補強部材、８４：切欠き、８５：底板、８６：係止片、８６ａ：上片、８６ｂ：下面、８７：補強部材、８８：パッキン材、８９：係止片、８９ａ：突片
【図１】
2007222595.tif 000003
【図２】
2007222595.tif 000004
【図３】
2007222595.tif 000005
【図４】
2007222595.tif 000006
【図５】
2007222595.tif 000007
【図６】
2007222595.tif 000008
【図７】
2007222595.tif 000009
【図８】
2007222595.tif 000010
【図９】
2007222595.tif 000011
【図１０】
2007222595.tif 000012
【図１１】
2007222595.tif 000013
【図１２】
2007222595.tif 000014
【図１３】
2007222595.tif 000015
【図１４】
2007222595.tif 000016
【図１５】
2007222595.tif 000017
【図１６】
2007222595.tif 000018
【図１７】
2007222595.tif 000019
【図１８】
2007222595.tif 000020
【図１９】
2007222595.tif 000021
【図２０】
2007222595.tif 000022
【図２１】
2007222595.tif 000023
【図２２】
2007222595.tif 000024
【図２３】
2007222595.tif 000025
【図２４】
2007222595.tif 000026
【図２５】
2007222595.tif 000027
【図２６】
2007222595.tif 000028
【図２７】
2007222595.tif 000029
【図２８】
2007222595.tif 000030
【図２９】
2007222595.tif 000031
【図３０】
2007222595.tif 000032
【図３１】
2007222595.tif 000033
【図３２】
2007222595.tif 000034
【図３３】
2007222595.tif 000035
【図３４】
2007222595.tif 000036
【図３５】
2007222595.tif 000037
【図３６】
2007222595.tif 000038
【図３７】
2007222595.tif 000039
【図３８】
2007222595.tif 000040
【図３９】
2007222595.tif 000041
【図４０】
2007222595.tif 000042
【図４１】
2007222595.tif 000043
【図４２】
2007222595.tif 000044
【図４３】
2007222595.tif 000045
【図４４】
2007222595.tif 000046
【図４５】
2007222595.tif 000047